【手続補正書】
【提出日】平成30年8月30日(2018.8.30)
【手続補正１】
【補正対象書類名】特許請求の範囲
【補正対象項目名】全文
【補正方法】変更
【補正の内容】
【特許請求の範囲】
【請求項１】
ＢＬＥ（Ｂｌｕｅｔｏｏｔｈ  Ｌｏｗ  Ｅｎｅｒｇｙ）に基づく無線通信を実行する印刷装置であって、
外部装置から受信した印刷データに基づく印刷処理を実行する印刷手段と、
フォーマットが異なる複数種類のＢＬＥのアドバタイズパケットの中から、送信するアドバタイズパケットの種類を複数選択可能な選択手段と、
前記選択手段によって複数選択された種類のアドバタイズパケットを順に切り替えながら送信するＢＬＥ通信手段と、を有し、
前記複数種類のアドバタイズパケットには、外部装置の印刷アプリケーションに対応するフォーマットのアドバタイズパケットが含まれることを特徴とする印刷装置。
【請求項２】
前記複数種類のアドバタイズパケットを表示する表示手段をさらに備え、
前記選択手段は、前記表示手段によって表示された複数種類のアドバタイズパケットの中から、送信するアドバタイズパケットをユーザの指示によって複数選択することを特徴とする請求項１に記載の印刷装置。
【請求項３】
前記ＢＬＥ通信手段は、前記選択手段によって複数選択されたアドバタイズパケットのうち、第１の種類のアドバタイズパケットを所定の時間送信した後、第２の種類のアドバタイズパケットの送信を開始することを特徴とする請求項１又は２に記載の印刷装置。
【請求項４】
前記所定の時間はユーザによって設定可能であることを特徴とする請求項３に記載の印刷装置。
【請求項５】
前記選択手段によっていずれのアドバタイズパケットも選択されない場合に、前記ＢＬＥ通信手段への電力供給を停止することを特徴とする請求項１乃至４のいずれか１項に記載の印刷装置。
【請求項６】
ＢＬＥ（Ｂｌｕｅｔｏｏｔｈ  Ｌｏｗ  Ｅｎｅｒｇｙ）に基づく無線通信を実行する印刷装置であって、
外部装置から受信した印刷データに基づく印刷処理を実行する印刷手段と、
第１タイプのＢＬＥのアドバタイズパケットと、前記第１タイプのアドバタイズパケットとはフォーマットが異なる第２タイプのＢＬＥのアドバタイズパケットそれぞれについて、送信するか否かを設定する設定手段と、
前記設定手段による設定に従って、ＢＬＥのアドバタイズパケットを送信するＢＬＥ通信手段と、を有し、
前記第１タイプのアドバタイズパケットと前記第２タイプのアドバタイズパケットの少なくともいずれかは、外部装置の印刷アプリケーションに対応するフォーマットのアドバタイズパケットであることを特徴とする印刷装置。
【請求項７】
前記設定手段により、前記第１タイプのアドバタイズパケットを送信すると設定され、前記第２タイプのアドバタイズパケットを送信すると設定された場合、前記ＢＬＥ通信手段は、前記第１タイプのアドバタイズパケットと前記第２タイプのアドバタイズパケットとを時分割で送信することを特徴とする請求項６記載の印刷装置。
【請求項８】
前記ＢＬＥ通信手段は、前記第１タイプのアドバタイズパケットと前記第２タイプのアドバタイズパケットのいずれか一方の送信を開始してから一定時間経過後に他方を送信することを特徴とする請求項７記載の印刷装置。
【請求項９】
前記ＢＬＥ通信手段は、前記第１タイプのアドバタイズパケットと前記第２タイプのアドバタイズパケットのいずれか一方を複数回送信してから他方を複数回送信することを特徴とする請求項７記載の印刷装置。
【請求項１０】
前記ＢＬＥ通信手段は、前記第１タイプのアドバタイズパケットを第１の周期で送信し、前記第２のアドバタイズパケットを第２の周期で送信することを特徴とする請求項７記載の印刷装置。
【請求項１１】
前記第１の周期と前記第２の周期は同じ値であることを特徴とする請求項１０記載の印刷装置。
【請求項１２】
前記第１の周期と前記第２の周期は異なる値であることを特徴とする請求項１０記載の印刷装置。
【請求項１３】
ＢＬＥ（Ｂｌｕｅｔｏｏｔｈ  Ｌｏｗ  Ｅｎｅｒｇｙ）に基づく無線通信を実行する印刷装置であって、
外部装置から受信した印刷データに基づく印刷処理を実行する印刷手段と、
フォーマットが異なる複数種類のＢＬＥのアドバタイズパケットを時分割で送信するＢＬＥ通信手段と、を有し、
前記複数種類のアドバタイズパケットには、外部装置の印刷アプリケーションに対応するフォーマットのアドバタイズパケットが含まれることを特徴とする印刷装置。
【請求項１４】
前記ＢＬＥ通信手段は、第１タイプのアドバタイズパケットと第２タイプのアドバタイズパケットのいずれか一方の送信を開始してから一定時間経過後に他方を送信することを特徴とする請求項１３記載の印刷装置。
【請求項１５】
前記ＢＬＥ通信手段は、第１タイプのアドバタイズパケットと第２タイプのアドバタイズパケットのいずれか一方を複数回送信してから他方を複数回送信することを特徴とする請求項１３記載の印刷装置。
【請求項１６】
前記ＢＬＥ通信手段は、第１タイプのアドバタイズパケットを第１の周期で送信し、第２のアドバタイズパケットを第２の周期で送信することを特徴とする請求項１３記載の印刷装置。
【請求項１７】
前記第１の周期と前記第２の周期は同じ値であることを特徴とする請求項１６記載の印刷装置。
【請求項１８】
前記第１の周期と前記第２の周期は異なる値であることを特徴とする請求項１６記載の印刷装置。
【請求項１９】
ＢＬＥ（Ｂｌｕｅｔｏｏｔｈ  Ｌｏｗ  Ｅｎｅｒｇｙ）に基づく無線通信を実行する印刷装置の制御方法であって、
フォーマットが異なる複数種類のＢＬＥのアドバタイズパケットの中から、送信するアドバタイズパケットの種類を複数選択する選択ステップと、
前記選択ステップで複数選択された種類のアドバタイズパケットを順に切り替えながら送信するＢＬＥ通信ステップと、を有し、
前記複数種類のアドバタイズパケットには、外部装置の印刷アプリケーションに対応するフォーマットのアドバタイズパケットが含まれることを特徴とする印刷装置の制御方法。
【請求項２０】
ＢＬＥ（Ｂｌｕｅｔｏｏｔｈ  Ｌｏｗ  Ｅｎｅｒｇｙ）に基づく無線通信を実行する印刷装置の制御方法であって、
第１タイプのＢＬＥのアドバタイズパケットと、前記第１タイプのアドバタイズパケットとはフォーマットが異なる第２タイプのＢＬＥのアドバタイズパケットそれぞれについて、送信するか否かを設定する設定ステップと、
前記設定ステップでの設定に従って、ＢＬＥのアドバタイズパケットを送信するＢＬＥ通信ステップと、を有し、
前記第１タイプのアドバタイズパケットと前記第２タイプのアドバタイズパケットの少なくともいずれかは、外部装置の印刷アプリケーションに対応するフォーマットのアドバタイズパケットであることを特徴とする印刷装置の制御方法。
【請求項２１】
ＢＬＥ（Ｂｌｕｅｔｏｏｔｈ  Ｌｏｗ  Ｅｎｅｒｇｙ）に基づく無線通信を実行する印刷装置の制御方法であって、
フォーマットが異なる複数種類のＢＬＥのアドバタイズパケットを時分割で送信するＢＬＥ通信ステップを有し、
前記複数種類のアドバタイズパケットには、外部装置の印刷アプリケーションに対応するフォーマットのアドバタイズパケットが含まれることを特徴とする印刷装置の制御方法。
【請求項２２】
請求項１９乃至２１のいずれか１項に記載の印刷装置の制御方法をコンピュータに実行させるためのプログラム。
【手続補正２】
【補正対象書類名】明細書
【補正対象項目名】０００７
【補正方法】変更
【補正の内容】
【０００７】
上述した課題を解決するために、本発明が提供する印刷装置は、ＢＬＥ（Ｂｌｕｅｔｏｏｔｈ  Ｌｏｗ  Ｅｎｅｒｇｙ）に基づく無線通信を実行する印刷装置であって、外部装置から受信した印刷データに基づく印刷処理を実行する印刷手段と、フォーマットが異なる複数種類のＢＬＥのアドバタイズパケットの中から、送信するアドバタイズパケットの種類を複数選択可能な選択手段と、前記選択手段によって複数選択された種類のアドバタイズパケットを順に切り替えながら送信するＢＬＥ通信手段と、を有し、前記複数種類のアドバタイズパケットには、外部装置の印刷アプリケーションに対応するフォーマットのアドバタイズパケットが含まれることを特徴とする。
また、本発明が提供する印刷装置は、ＢＬＥ（Ｂｌｕｅｔｏｏｔｈ  Ｌｏｗ  Ｅｎｅｒｇｙ）に基づく無線通信を実行する印刷装置であって、外部装置から受信した印刷データに基づく印刷処理を実行する印刷手段と、第１タイプのＢＬＥのアドバタイズパケットと、前記第１タイプのアドバタイズパケットとはフォーマットが異なる第２タイプのＢＬＥのアドバタイズパケットそれぞれについて、送信するか否かを設定する設定手段と、前記設定手段による設定に従って、ＢＬＥのアドバタイズパケットを送信するＢＬＥ通信手段と、を有し、前記第１タイプのアドバタイズパケットと前記第２タイプのアドバタイズパケットの少なくともいずれかは、外部装置の印刷アプリケーションに対応するフォーマットのアドバタイズパケットであることを特徴とする。
また、本発明が提供する印刷装置は、ＢＬＥ（Ｂｌｕｅｔｏｏｔｈ  Ｌｏｗ  Ｅｎｅｒｇｙ）に基づく無線通信を実行する印刷装置であって、外部装置から受信した印刷データに基づく印刷処理を実行する印刷手段と、フォーマットが異なる複数種類のＢＬＥのアドバタイズパケットを時分割で送信するＢＬＥ通信手段と、を有し、前記複数種類のアドバタイズパケットには、外部装置の印刷アプリケーションに対応するフォーマットのアドバタイズパケットが含まれることを特徴とする。